(57)【要約】【解決手段】補強部材６が、少なくとも、真空成形用シートＳが重合された重合部６ａにより構成されている真空成形品Ｄの補強部材６に関するものである。【効果】真空成形品の補強部材を、少なくとも、真空成形用シートが重合された重合部により構成したので、断面形状が略Ｕ字状の補強リブが形成されている従来の真空成形品に比べて、真空成形品の強度や剛性を向上することができる。【選択図】図４
2005053483.tif 000002
【特許請求の範囲】
【請求項１】
補強部材が、少なくとも、真空成形用シートが重合された重合部により構成されていることを特徴とする真空成形品の補強部材。
【発明の詳細な説明】
【０００１】
【発明の属する技術分野】
本発明は、載置される物品の形状に応じた物品収容凹部を有する真空成形により成形されたダネッジ等の真空成形品の補強部材に関するものである。
【０００２】
【従来の技術】
従来、真空成形により成形されるダネッジ等の真空成形品の強度や剛性を上げるために、側壁や底部等の一部を下方に湾曲させて、補強部材としての断面形状が略Ｕ字状の補強リブが形成されているダネッジが、一例として、特許文献１に開示されている。
【０００３】
【特許文献１】
実開昭６３−１８６６２６号公報。
【０００４】
【発明が解決しようとする課題】
従来のダネッジ等の真空成形品に形成されている補強リブは、断面形状が、略Ｕ字状に形成されており、射出成形により成形された補強リブのように、無垢状に形成されたものでないので、ダネッジ等の真空成形品の強度や剛性を、十分に上げることが困難であるという問題があった。
【０００５】
本発明の目的は、上述した従来の真空成形品の補強部材が有する課題を解決することにある。
【０００６】
【課題を解決するための手段】
本発明は、上述した目的を達成するために、真空成形品の補強部材を、少なくとも、真空成形用シートが重合された重合部により構成したものである。
【０００７】
【実施例】
以下に．本発明の実施例について説明するが、本発明の趣旨を越えない限り何ら、本実施例に限定されるものではない。なお、以下においては、真空成形品の一例として、物品収容凹部を有するダネッジを例に、該真空成形品としてのダネッジに形成された補強部材について説明する。
【０００８】
本実施例には、真空成形により成形された、一例としての平面形状が長方形に形成されてたダネッジＤが示されており、ダネッジＤは、相対する長側壁部１ａと相対する短側壁部１ｂとからなる周側壁１を有している。また、底部２には、底部２の一部を上方に膨出させることにより、土手部３が形成されている。本実施例においては、土手部３は、短側壁部１ｂに沿って、略平行に配置されているとともに、天部３ａと相対する側壁３ｂとにより形成されている。
【０００９】
本実施例には、一例として、短側壁部１ｂ側及び中央部に配置された、天部３ａの幅（長側壁部１ａに沿って長さ）が広い土手部（以下、幅広土手部という。）と、天部３ａの幅の広い土手部３の間に配置された、天部３ａの幅の狭い土手部（以下、幅狭土手部という。）とが形成されている例が示されている。なお、特に、幅広土手部或いは幅狭土手部に言及するときは、幅広土手部或いは幅狭土手部と称し、幅広土手部には、符号３ｗを用い、幅狭土手部には、符号３ｎを用い、また、土手部一般に言及するときは、上述したように、単に、土手部と称し、符号３を用いる。
【００１０】
上述したように、ダネッジＤは、真空成形により形成されているので、ダネッジＤを裏側から見た場合には、図２に示されているように、底部２の裏面には、土手部３に対応して、トンネル状凹部３’が形成されており、トンネル状凹部３’は、土手部３を形成する天部３ａの裏面（以下、天部裏面という。）３ａ’と土手部３を形成する相対する側壁３ｂの裏面（以下、側壁裏面という。）３ｂ’とから形成されている。底部２の裏面には、幅広土手部３ｗに対応して、天部裏面３ａ’幅（長側壁部１ａに沿って長さ）の広いトンネル状凹部（以下、幅広トンネル状凹部という。）と、幅狭土手部３ｎに対応して、天部裏面３ａ’幅の狭いトンネル状凹部（以下、幅狭トンネル状凹部という。）とが形成されている。なお、特に、幅広トンネル状凹部或いは幅狭トンネル状凹部に言及するときは、幅広トンネル状凹部或いは幅狭トンネル状凹部と称し、幅広トンネル状凹部には、符号３ｗ’を用い、幅狭トンネル状凹部には、符号３ｎ’を用い、また、トンネル状凹部一般に言及するときは、上述したように、単に、トンネル状凹部と称し、符号３’を用いる。
【００１１】
幅広トンネル状凹部３ｗ’の一端部には、幅広トンネル状凹部３ｗ’の幅を狭める方向に、対向するように延在する膨出部４が形成されており、このような膨出部４を形成することにより、隣り合う膨出部４間には、幅広トンネル状凹部３ｗ’に連通する、下部、幅広トンネル状凹部３ｗ’側及び長側壁部１ａ側が開放されたアーチ状空間部５が形成されている。
【００１２】
アーチ状空間部５内には、アーチ状空間部５を仕切るように、補強部材６が形成されている。補強部材６は、補強部材６を形成する真空成形用シートが重合された下方に位置する重合部６ａと、真空成形用シートが離反した状態の隔壁部６ｂとから構成されている。
【００１３】
底部や側壁等に、断面形状が、略Ｕ字状の補強リブが形成されている従来のダネッジに比べて、本実施例においては、補強部材６には、真空成形用シートが重合された無垢状の重合部６ａが形成されているので、ダネッジＤの強度や剛性が向上することになる。
【００１４】
次に、図５〜図９を用いて、真空成形により、上述したような補強部材６が成形される原理を、金型基部ｍ１の上面に、所定の間隔を置いて、一対の角柱状突部ｍ２が突設されている単純化された金型Ｍを例を用いて説明する。
【００１５】
Ｓは、真空成形用シートであり、金型Ｍを上昇させることにより、図６や図７に示されているように、角柱状突部ｍ２の上面ｍ２ａに接触させた後、周知のように、金型Ｍに穿設された多数の真空引き用透孔を経て、金型Ｍと真空成形用シートＳと間の空気を吸引することにより、真空成形用シートＳを、金型Ｍに方向に接近させ接触させることにより、成形品を製造することになる。この真空成形過程において、角柱状突部ｍ２間に位置する真空成形用シートＳの相対する領域ｓ１は、互いに接近する方向に移動することになるが、一対の角柱状突部ｍ２の間隔Ｔ１や対向する角柱状突部ｍ２の面ｍ２ｂの幅Ｔ２や真空引きの真空圧や真空成形用シートＳの加熱温度等を、適宜、調整することにより、上記の真空成形用シートＳの相対する領域ｓ１の上部が重合されて、上述したような重合部６ａが形成され、また、下部が、真空成形用シートＳの相対する領域ｓ１が離反した状態の隔壁部６ｂが形成された補強部材６が、一対の角柱状突部ｍ２間に形成されることになる。
【００１６】
上述したようにして、図８や図９に示されているように、天部ｐ１と周壁ｐ２とからなる略角筒状の一対のタワー部Ｐ’と、タワー部Ｐ’の周壁ｐ２の相対する側面ｐ２間を連結する、上述した重合部６ａと隔壁部６ｂとからなる補強部材６とからなる真空成形品Ｐが成形されることになる。
【００１７】
図１０には、上述したダネッジＤに形成された補強部材６を真空成形するための金型の部分斜視図が示されており、図５〜図８を用いて説明した金型やその構成部分には、（’）が付されている。
【００１８】
ｍ１’は、ダネッジＤのトンネル状凹部３’を形成する金型Ｍ’の金型部分であり、ｍ２’は、ダネッジＤの膨出部４を成形するための突部部分であり、上述した一対の角柱状突部ｍ２に相当するものである。上述したと同様に、真空成形過程において、突部部分ｍ２’の上面ｍ２ａ’に載置され、突部部分ｍ２’間に位置する真空成形用シートＳの相対する領域ｓ１が、互いに接近する方向に移動する際に、真空成形用シートＳの相対する領域ｓ１の上部が、重合されて重合部６ａが形成されるとともに、下部が、真空成形用シートＳの相対する領域ｓ１が離反した状態の隔壁部６ｂが形成されることになる。
【００１９】
上述した実施例には、補強部材６が、重合部６ａと隔壁部６ｂとからなる例が示されているが、一対の角柱状突部ｍ２の間隔Ｔ１や対向する角柱状突部ｍ２の面ｍ２ｂの幅Ｔ２や真空引きの真空圧や真空成形用シートＳの加熱温度等を、適宜、調整することにより、補強部材６における重合部６ａと隔壁部６ｂとの比率を、適宜、調整することができるとともに、補強部材６の略全部を重合部６ａにより構成することもできる。
【００２０】
【発明の効果】
本発明は、以上説明したように構成されているので、以下に記載するような効果を奏するものである。
【００２１】
真空成形品の補強部材を、少なくとも、真空成形用シートが重合された重合部により構成したので、断面形状が、略Ｕ字状の補強リブが形成されている従来の真空成形品に比べて、真空成形品の強度や剛性を向上することができる。
【図面の簡単な説明】
【図１】図１は、本発明の真空成形品の一例としてのダネッジの斜視図である。
【図２】図２は、図１に示されているダネッジの裏面斜視図である。
【図３】図３は、図１に示されているダネッジの部分拡大斜視図である。
【図４】図４は、図１に示されているダネッジに形成された補強部材の斜視図である。
【図５】図５は、補強部材を成形するための単純化された金型及び真空成形用シートの斜視図である。
【図６】図６は、図５に示されている金型に真空成形用シートが覆われた状態の正面図である。
【図７】図７は、図５に示されている金型に真空成形用シートが覆われた状態の側面図である。
【図８】図８は、図５に示されている金型を用いて真空成形された真空成形品の斜視図である。
【図９】図９は、図８のＩ−Ｉ線に沿った垂直断面図である
【図１０】図１０は、図４に示されている補強部材を真空成形するための金型の部分斜視図である。
【符号の説明】
Ｄ・・・・・・・・・・・・ダネッジ（真空成形品）
１・・・・・・・・・・・・周側壁
２・・・・・・・・・・・・底部
３・・・・・・・・・・・・土手部
３’・・・・・・・・・・・トンネル状凹部
５・・・・・・・・・・・・アーチ状空間部
６・・・・・・・・・・・・補強部材
６ａ・・・・・・・・・・・重合部
６ｂ・・・・・・・・・・・隔壁部
【図１】
2005053483.tif 000003
【図２】
2005053483.tif 000004
【図３】
2005053483.tif 000005
【図４】
2005053483.tif 000006
【図５】
2005053483.tif 000007
【図６】
2005053483.tif 000008
【図７】
2005053483.tif 000009
【図８】
2005053483.tif 000010
【図９】
2005053483.tif 000011
【図１０】
2005053483.tif 000012